【誤訳訂正書】
【提出日】平成23年6月13日(2011.6.13)
【誤訳訂正１】
【訂正対象書類名】明細書
【訂正対象項目名】全文
【訂正方法】変更
【訂正の内容】
【書類名】明細書
【発明の名称】メガネの製造方法
【特許請求の範囲】
【請求項１】 
個々の累進多焦点メガネレンズを備えたメガネを製造する方法であって、 
メガネフレームを選択する工程と、 
レンズリングの形状をｘ方向及びｙ方向に＋／−０．５ｍｍよりも高い精度で検知する（データセット１）工程と、 
レンズリングの平面を貫く視野方向の交差点を累進多焦点メガネレンズの少なくとも２つの設計距離について＋／−１ｍｍよりも高い精度で検知する（データセット２）工程と、 
処方データに基づいて、そしてデータセット１とデータセット２を用いて、球面又は非球面のレンズリングについての選択及び位置決めを行う（データセット３）工程と、 
メガネレンズの臨界厚さを最小化して、そしてデータセット１〜３を用いて、選択された表面についてプログレッシブ表面の計算及び位置決めを行う（データセット４）工程と、 
データセット１〜４を用いて、片側が仕上げられた、縁のない半仕上げ製品から、プログレッシブ表面とメガネレンズの縁とを製造する工程と 
を備えている製造方法。
【請求項２】 
前記球面又は非球面は、前側表面であることを特徴とする請求項１に記載の製造方法。
【請求項３】 
前記リングレンズのｚ方向の形状は、前記データセット１について＋／−０．５ｍｍよりも高い精度で検知されることを特徴とする請求項１又は２に記載の製造方法。
【請求項４】 
前記レンズリングの平面を貫く視野方向の交差点の検知と組み合わせて、レンズ着用者の眼前へのレンズリングの配置が、＋／−０．５ｍｍよりも高い精度で、ｘ，ｙ及びｚ方向で検知される（データセット２’）ことを特徴とする請求項１乃至３のいずれか１項に記載の製造方法。
【請求項５】 
前記前側表面は、レンズリングの形状の関数として選択されていることを特徴とする請求項２乃至４のいずれか１項に記載の製造方法。
【請求項６】 
前記前側表面は、非球面であることを特徴とする請求項４に記載の製造方法。
【請求項７】 
前記前側表面は、個別に構成された２つの主断面を備えており、これらの主断面の設計はレンズリングの形状の関数として選択されていることを特徴とする請求項５に記載の製造方法。
【請求項８】 
前記プログレッシブ表面は、前記プログレッシブ表面と反対側の前記球面又は非球面である第２表面の像誤差を補正することを特徴とする請求項１乃至７のいずれか１項に記載の製造方法。
【請求項９】 
少なくとも１つのプログレッシブ表面は、主線の所定の点で、特に、いわゆる参照遠点（ＢＦ）と近用基準点（ＢＮ）でメガネレンズがレンズ処方により決定される所定の効果を生じるよう、レンズ着用者の角膜／頂部距離等の個々のデータに基づいて計算される製造方法であって、 
レンズ着用者により選択され予め適用されたメガネフレームの、個々の角膜／頂部距離（ＨＳＡ）が測定される工程と、 
予め適用されたメガネフレームについての最適な個々のプログレッション長さ（Ｌｏｐｔ）であって、使用位置における、垂直の方向の、遠用基準点と近用基準点との間の距離が、角膜／頂部距離をＨＳＡ、遠用基準点と中心十字の間の距離をｄ（ＢＦ，ＺＫ）とするとき、関係：
Ｌｏｐｔ＝ｔａｎ（３２．３°＋／−１°）×（ＨＳＡ＋１３．５ｍｍ）＋ｄ（ＢＦ，ＺＫ）
により決定される工程と、 
生成された個々のプログレッション長さＬｏｐｔが得られるよう、メガネレンズのプログレッシブ表面が計算される工程と、 
計算されたデータに基づいてメガネレンズが製造される工程と 
を特徴とする請求項１乃至８のいずれか１項に記載の製造方法。
【請求項１０】 
関係：３ｍｍ≦ｄ（ＢＦ，ＺＫ）≦５ｍが適用され、特にｄ（ＢＦ，ＺＫ）＝４ｍｍであることを特徴とする請求項９に記載の製造方法。
【請求項１１】 
フレーム平面を貫く、視察方向０°の直線の交点であって、この直線が水平方向の眼Ｚ’の回転点及び中心十字ＺＫを通る点と、遠用基準点ＢＦとの間の個々の距離ｄが、ｄ（ＢＦ，ＺＫ）の値を決定するために生成されることを特徴とする請求項９又は１０に記載の製造方法。
【請求項１２】 
さらなる個々の値が、最適な個々のプログレッション長さ（Ｌｏｐｔ）の値の決定時に考慮されることを特徴とする請求項９乃至１１のいずれか１項に記載の製造方法。
【請求項１３】 
さらなる個々の値が、フレーム平面の前進傾きであることを特徴とする請求項１３に記載の製造方法。
【請求項１４】 
さらなる個々の値が、球面効果、加色効果、非点収差効果及び軸位置、並びに角柱及び角柱底面であることを特徴とする請求項１２又は１３に記載の製造方法。
【請求項１５】 
角膜／頂部距離ＨＳＡと個々のプログレッション長さＬｏｐｔとの値の割り当て：
ＨＳＡ Ｌｏｐｔ
１０ｍｍ １８．８ｍｍ
１５ｍｍ ２２ｍｍ
２０ｍｍ ２５．１ｍｍ
を特徴とする請求項９乃至１４のいずれか１項に記載の製造方法。
【請求項１６】 
メガネレンズとプログレッシブ表面の計算が、特に使用位置にて行われることを特徴とする請求項９乃至１５のいずれか１項に記載の製造方法。
【発明の詳細な説明】
【０００１】
（発明の分野）
本発明は、個別化された累進多焦点メガネレンズを提供するメガネ（ｓｐｅｃｔａｃｌｅｓ）製造方法に関する。
【０００２】
（従来技術）
多くの従来技術文献において、これとしては、独国特許第ＤＥ−Ａ−４３ ３７ ３６９、業界紙ＤＯＺ８／９６，４４〜４６ページ、業界紙ＮＯＪ１１／９７，１８ページ以前、又は独国特許第ＤＥ−Ａ−１９７ ０１ ３１２が典型的には参照されているが、個別化された累進多焦点メガネレンズを計算し製造することが提案されている。この用語は、プログレッシブエリア（ｐｒｏｇｒｅｓｓｉｖｅ ａｒｅａ）及び／又は非球面にマッチした表面が、各自の処方データと、前方傾き（ｆｏｒｗａｒｄ ｉｎｃｌｉｎａｔｉｏｎ）、角膜／頂部距離（ｃｏｒｎｅａ／ａｐｅｘ ｄｉｓｔａｎｃｅ）等の特質とに関して個々に計算されるという意味で理解されることにする。
【０００３】
累進多焦点メガネレンズのメガネフレームへの適用、又はフレーム形状は上記従来技術参照文献では考慮されていない。
【０００４】
処方エリア（ｐｒｅｓｃｒｉｐｔｉｏｎ ａｒｅａ）の位置を適切に選択することにより、メガネレンズの臨界厚さ、例えば正の効果をもつレンズの場合の中心厚さ、負の効果をもつレンズの場合の周縁厚さ（ｍａｒｇｉｎａｌ ｔｈｉｃｋｎｅｓｓ）を最小化することは共通であるが、相互に関係する２つのエリアの位置のみが、処方エリアの形状又は適用エリアの形状のそれぞれのためではなく、臨界厚さの最小化のために最適化されるだけである。
【０００５】
（発明の簡単な説明）
本発明は、それぞれが選択されたメガネフレームにマッチする、個別化された複数のメガネレンズを備えたメガネの製造方法を提供することに関する問題に基づいている。
【０００６】
この問題に対する１つの発明的な解決策は特許請求項１に規定されている。この発明の改良点は従属請求項の主題である。
【０００７】
フレーム形状に適用された、個別化された累進多焦点メガネレンズを有するメガネの、本発明の製造方法は以下の工程を具備している。
【０００８】
メガネ（ｇｌａｓｓ）着用者は、着用者が好むメガネフレームを選択しなければならない。メガネフレームのレンズリングの形状は、ｘ方向及びｙ方向、例えばフレーム平面の方向に＋／−０．５ｍｍよりも高い精度で検知される（データセット１）。このデータセットは、いわゆるトレーサを用いてメガネフレームを走査するか、又はスキャナ即ち光学検知装置を用いてメガネフレームの形状を検知するかのそれぞれにより、接触することなく生成され得る。また、もちろん、それぞれのメガネフレームの製造者にレンズリングの形状を問うことできるし、さらに製造者のデータを本発明の方法に含ませることもできる。その他に、パターンディスクの輪郭（ｔｈｅ ｃｏｎｔｏｕｒ ｏｆ ｔｈｅ ｐａｔｔｅｒｎ ｄｉｓｋｓ）を考慮することもできる。
【０００９】
さらに、レンズリングの平面を貫く視野方向の交差点は、累進多焦点メガネレンズの少なくとも２つの設計距離に対して＋／−１ｍｍよりも高い精度で検知される（データセット２）。
【００１０】
通常の用途に対して設計された累進多焦点メガネレンズでは、設計距離は、ある場合では「無限」であり、別の場合では近距離、例えば３３ｃｍである。特定の用途に対して適用される累進多焦点メガネレンズの場合、もちろん他の設計距離が存在することになる。コンピュータモニタの仕事に対して適用されるメガネでは、例えば、設計距離は前者の場合で概略１ｍであり、別の場合で概略４０ｃｍであろう。
【００１１】
それぞれの設計距離に対する交差点の検知は周知であるので、これ以上詳細に説明する必要はない。
【００１２】
この方法の２つの工程は周知であり、累進多焦点メガネレンズを有するメガネが着用者に適用されるときに検眼メガネ士により定型業務として実行される。
【００１３】
従来用いられた方法とは対照的に、球面又は非球面のレンズリングについての選択及び位置決めは、処方データに基づくだけでなく、データセット１，２を適用する、即ちレンズリングの形状と、レンズリングの平面を貫いてみた線の交差点を鑑みてなされる。言い換えれば、在庫の「素材（ｂｌａｎｋ）」、例えば片側が仕上げられた、素材ともいえるものの中から、特定の素材が選択される。これは、処方データに関してだけでなく、レンズリングの形状及び個別に計算された累進多焦点メガネレンズに対する交差点の位置を考慮しても最適である。
【００１４】
この後、プログレッシブエリアが、メガネレンズの臨界厚さの最小化と、データセット１〜３の適用とにより計算される。計算、即ちプログレッシブエリアの最適化は、初期エリアから始まるのだが、従来の方法により実行されてもよいので、この工程は個々でこれ以上詳細に説明する必要はない。
【００１５】
次に、片側を仕上げそして縁のない半仕上げ製品を用いて、生成されたデータセットの適用により、プログレッシブエリアは製造され、メガネレンズは縁取られる。
【００１６】
これは、片側が仕上げられたエリアが球面の又は非球面の前側表面であるとき、このエリアは、プログレッシブエリアとは対照的であるが、特にｚ方向、即ちフレーム平面に直交する方向において、メガネフレームにより良く適用されるので、特に有効である。
【００１７】
このため、ｚ方向のレンズリングの形状が、特に＋／−０．５ｍｍよりも高い精度で決定されることが特に好ましい。レンズリングの形状はこのときもデータセット１に入力される。
【００１８】
メガネレンズの質の別の改良は、レンズリングの平面を貫く視野方向の交差点の検知と、着用者の眼前へのレンズリングの配置とが、＋／−０．５ｍｍよりも高い精度で、ｘ，ｙ及びｚ方向で検知されることを用意することにより達成される。
【００１９】
前側表面の形状及び経路がレンズリングの形状の関数として選択されることが特に好ましい。このため、前側表面は、非球面のエリアであってもよいし、特に、個別に指定された２つの主断面を与えるエリアであって、その形状がレンズリングの形状の関数として選択されているものであってもよい。本発明によればトーリック又は非トーリックエリアは、処方データがトーラスの使用を要求しないときも、リングレンズの経路への最適な適用を達成することができるよう、使用される。トーリック又は非トーリックに設計された表面により引き起こされ、現実に好ましくない非点収差は、眼の側にあるプログレッシブエリアの、対応する表面の非点収差により補償され、この結果全非点収差は、適用位置での斜め光束の非点収差を考慮して、処方値に合致することになる。
【００２０】
累進多焦点レンズの計算に対して、以下のアプローチが特になされる。
【００２１】
従来技術に関して、メガネレンズの製造者は、コンティニュアスビジョンレンズ（ｃｏｎｔｉｎｕｏｕｓ ｖｉｓｉｏｎ ｌｅｎｓ）のプログレッション長さ（ｐｒｏｇｒｅｓｓｉｏｎ ｌｅｎｇｔｈ）Ｌとして概略２２ｍｍの製品依存基準値を用いる。
【００２２】
小さいディスク高さをもつフレームに対しては、一部製造者は基準よりも短い特別な別のプログレッション長さを挙げる。
【００２３】
従来技術では、前に適用されたフレームの角膜／頂部距離（ＨＳＡ）を考慮してコンティニュアスビジョンレンズのプログレッション長さを決定する方法が全く知られていない。
【００２４】
２２ｍｍの基準のプログレッション長さは、角膜／頂部距離が規定平均値（１５ｍｍ）を超えるか、規定平均値以下に下がるかすると、即座に不適当な効果を生じさせ、それ故、メガネレンズは、経験的に決定された使用位置に対して、眼の回転点の前に正確に着座することはない。
【００２５】
経験的に決定された使用位置に従えば、２２ｍｍの不変のプログレッション長さは、１５ｍｍの平均ＨＳＡ値の場合に限り、最適なものである。より小さいＨＳＡ値を用いれば、視界は必ずより低下し、一方、より大きいＨＳＡ値を用いれば、近用基準点は、視野方向のごく僅かな偏向を受けた後に眼に達する。
【００２６】
経験から推測される値に関して、視界の概略３２°の水平方向の偏向に対する視界の低下が観察時（ｉｎ ｒｅａｄｉｎｇ）に起こる。極端な使用者が選択したフレームに関するＨＳＡが基準ＨＳＡ値に対して変化するとき、完全な補完を達成するためか、近用基準点ＢＮを通して見るための視野方向の偏向は、経験的に決定された使用位置に合致することはない。このことにより、頭部の姿勢又は眼の偏向が強制される可能性があり、コンティニュアスビジョンレンズ着用者の負担になる。より小さいＨＳＡ値（例えば１０ｍｍ）を用いると、頭部又は眼は（可能であっても）下げられざるを得ず、またより大きいＨＳＡ値（例えば２０ｍｍ）を用いると、頭部又は眼は不自然なやり方で上に動かされなくてはならない。
【００２７】
従って、本発明に従えば、予め適用されたメガネフレームの測定された角膜／頂部距離を参照することにより、コンティニュアスビジョンレンズの最適でかつ個々のプログレッション長さを決定するのに適する方法が提供される。
【００２８】
この問題は以下の工程
（ａ）予め適用されたメガネフレームの個々の角膜／頂部距離（ＨＳＡ）の値を提供すること 
（ｂ）遠用基準点ＢＦと中心十字ＺＫとの間の個々の距離ｄを測定すること 
（ｃ）最適なかつ個別化されたプログレッション長さＬｏｐｔを式 
Ｌｏｐｔ＝０．６３×（ＨＳＡ＋１３．５ｍｍ）＋ｄ（ＢＦ，ＺＫ）
を通して決定することにより解決される。
【００２９】
上記のように決定されたプログレッション長さはレンズ製造者に対して知らされ、これを受けて製造者はこの個別化されたプログレッション長さを用いてコンティニュアスビジョンレンズを生産する。
【００３０】
本発明は、概略的な発明のアイデアを何ら制限することなしに、図面を参照した典型的な実施の形態により説明される。図面は、ここでこれ以上詳細に説明されない発明の詳細全てが関係する場合に限り、その他全ての点で、明確に参照される。
【００３１】
（実施の形態の説明）
（４つの実施の形態が示され、これらはそれぞれ図１〜図５、図６〜図１０、図１１〜図１５及び図１６〜図２０に図示される。）図示された４つの実施の形態全てにおいて、プログレッシブ表面は、一般的な適用性の制限は何もない場合、眼の側にある表面である。前側表面は球面又はトーリック面である。
【００３２】
４つの実施の形態全ては、１ｄｐｔの球面効果（使用時の平均値）と、遠用基準点での２ｄｐｔの増加とを生じさせるという共通の側面を持ちあっている。非点収差処方（ａｓｔｉｇｍａｔｉｓｍ ｐｒｅｓｃｒｉｐｔｉｏｎ）はない。全ての図において、縦座標（ｙ軸）は使用位置の垂直軸に対応し、横座標（ｘ軸）は水平軸に対応する。
【００３３】
遠用および近用基準点は、対応する図２〜図５、図７〜図１０、図１２〜図１５及び図１７〜図２０においてそれぞれ円で図示されていて、十字が中心点に付されている。それぞれの位置はそれぞれの図で見られる。さらに、本発明関して決定されている、主線の経路は図に示されている。
【００３４】
図１、図６、図１１及び図１６は各実施の形態についての眼側のプログレッシブエリアのサジッタ（ｓａｇｉｔｔａ）を示している。サジッタは、表面頂部の接平面からの、ｘ及びｙ座標（メガネレンズの使用位置における水平垂直軸）を有する点の距離を示すよう理解されることとする。この表の左の列にはｙ値（−２０〜＋２０ｍｍ）が記入されていて、最上段の行の２行目以降にはｘ値（−２０〜＋２０ｍｍ）が記入されている。サジッタは全て同様にミリメーターで表されている。値０はサジッタがｘ／ｙ座標に対して表されていないことを意味している。
【００３５】
図２、図７、図１２及び図１７は、半径３０ｍｍを有し、いわゆる中心十字（ｃｅｎｔｅｒｉｎｇ ｃｒｏｓｓ）の４ｍｍ下方に位置された点周りに描かれた円内部での非点収差変化を示している。非点収差の偏差（ｄｅｖｉａｔｉｏｎ）はメガネレンズと眼からなる系の「残留非点収差」であり、いわゆる等高線（ｉｓｏ ｌｉｎｅ）を用いて示されていて、等高線０．２５ｄｐｔで始まる。これらの等高線は、全く乱視（ａｓｔｉｇｍａｔｉｓｍ）を持たない眼の場合におけるシリンドリカル処方（ｃｙｌｉｎｄｒｉｃａｌ ｐｒｅｓｃｒｉｐｔｉｏｎ）０ｄｐｔからの、量と軸位置（ａｘｉａｌ ｐｏｓｉｔｉｏｎ）に関する非点収差の変化を表す。
【００３６】
図３、図８、図１３及び図１８は、本発明のそれぞれの実施の形態の使用時の平均値に対する対応した等高線を示している。使用時の平均値Ｄは、交差幅（ｉｎｔｅｒｓｅｃｔｉｏｎ ｗｉｄｔｈ）Ｓ’１，Ｓ’２の相互値（ｒｅｃｉｐｒｏｃａｌ ｖａｌｕｅ）の平均値マイナス像側の物体距離、即ち物体側の交差幅Ｓ、即ち
Ｄ＝０．５×（Ｓ’１＋Ｓ’２）−Ｓ
であり、全て同様にいわゆる等高線の形で示されていて、等高線０．７５ｄｐｔで始まる。
【００３７】
図４及び図５、図９及び図１０、図１４及び図１５、並びに図１９及び図２０には、表面データ、即ち表面非点収差及び平均表面パワーの等高線がそれぞれ対応するように示されている。このような表面データの定義に関しては、序論として設けられた記述が参照される。
【００３８】
４つの実施の形態は以下の個別化された使用状態を示す。
例：              １              ２              ３              ４
Ｄ１ｘ：        ４．５５        ４．５５        ３．４１        ３．４１
Ｄ１ｙ：        ４．５５        ４．５５        ３．４１        ３．９８
ｎ：          １．５９７      １．５９７      １．５９７      １．５９７
ｄ：            １．５９        １．５９        １．５９        １．５９
ＤＲＰ：          １．０          １．０          １．０          １．０
ＰＤ：              ６３            ７１            ６３            ６３
ＨＳＡ：            １５            １５            １０            １０
前方傾き：            ０              ８              ８              ８ 
この表において、
Ｄ１ｘ＝ｘ方向の前側表面の屈折光学パワー（ｄｉｏｐｔｒｉｃ ｐｏｗｅｒ）（ｄｐｔ）
Ｄ１ｙ＝ｙ方向の前側表面の屈折光学パワー（ｄｐｔ）
ｎ＝ガラス材料の屈折率ｄ＝メガネレンズの中心厚さ（ｍｍ）
ＤＲＰ＝リダクションプリズム（ｒｅｄｕｃｔｉｏｎ ｐｒｉｓｍ）の厚さ（ｃｍ／ｍ）
ＰＤ＝瞳孔距離（ｍｍ）
ＨＳＡ＝角膜／頂部距離（ｍｍ）
メガネレンズの前方傾き（°）
個別化された使用状態であるにもかかわらず、また例４において美的な理由で採用されていた、前側表面の表面非点収差にもかかわらず、これらの使用位置の等高線は、たとえこれらの表面値が部分的に明らかに異なっていても事実上互いに異ならない。
【００３９】
また、２つのプログレッシブ表面をもち、及び／又は（別の）様々な屈折率をもつメガネレンズの計算と製造に本発明の方法を移すこともできる。
【００４０】
個々のプログレッション長さを決定するために、特に以下のように行うことができる。
【００４１】
ここでは、眼の回転点Ｚ’の前方にある固定されたプログレッション長さをもつメガネレンズの異なる３つの位置は、異なる３つのＨＳＡレベルと関連して考えられるべきである。
【００４２】
この例では、フレーム平面の前方傾きが９°であり、このとき眼の回転点と角膜の頂部との間の距離は１３．５ｍｍに一致する。前記距離はＤＩＮ規準を通じて決定される。
【００４３】
ＢＦは遠用基準点を表し、ＢＮは近用基準点を表す。プログレッション長さＬはＢＦとＢＮの間の距離であり、ＺＫは中心十字を表す。
【００４４】
最適な個々のプログレッション長さは、好ましくは以下の関係に基づいて計算される。
【００４５】
２２ｍｍのプログレッション長さと１５ｍｍのＨＳＡ値とを用いれば、近用基準点での最適な観察（ｒｅａｄｉｎｇ）のための、近用基準点ＢＮと中心十字ＺＫの間の距離は、経験的に決定された使用位置に関して概略３２．３°に一致する。
ｔａｎ（３２．３°）＝距離（ＢＮ，ＺＫ）／ＨＳＡ＋１３．５ｍｍ）
ここで、１３．５ｍｍは眼の回転点から角膜の頂部までのＤＩＮ距離である。次に、
Ｌｏｐｔ＝０．６３×（ＨＳＡ＋１３．５ｍｍ）＋ｄ（ＢＦ，ＺＫ）
を適用する。予め適用されたフレームに対する測定されたＨＳＡ値が上記式で用いられるとき、コンティニュウアスビジョンレンズの最適で個別化されたプログレッション長さが得られる。ＺＫとＢＦ間の４ｍｍの距離を用い、２０ｍｍのＨＳＡ値を用いれば、１８．８ｍｍの最適プログレッション長さが達成される。即ち、この場合でも、２２ｍｍの規準プログレッション長さからの、大きな変化範囲が示される。
【００４６】
さらに、フレーム平面の前方傾きと、メガネレンズの処方（球面、シリンダー、軸、角柱（ｐｒｉｓｍ）、底面（ｂａｓｅ））も計算で考慮することができる。
【図面の簡単な説明】
【図１】
本発明の実施の形態の１つのサジッタを示している。
【図２】
非点収差の偏差（ｄｅｐａｒｔｕｒｅ）の等高線を示している。
【図３】
使用時の平均値の等高線を示している。
【図４】
表面非点収差の等高線を示している。
【図５】
発明のメガネレンズに関する平均表面パワーの等高線を示している。
【図６】
本発明の実施の形態の１つのサジッタを示している。
【図７】
非点収差の偏差の等高線を示している。
【図８】
使用時の平均値の等高線を示している。
【図９】
表面非点収差の等高線を示している。
【図１０】
発明のメガネレンズに関する平均表面パワーの等高線を示している。
【図１１】
本発明の実施の形態の１つのサジッタを示している。
【図１２】
非点収差の偏差の等高線を示している。
【図１３】
使用時の平均値の等高線を示している。
【図１４】
表面非点収差の等高線を示している。
【図１５】
発明のメガネレンズに関する平均表面パワーの等高線を示している。
【図１６】
本発明の実施の形態の１つのサジッタを示している。
【図１７】
非点収差の偏差の等高線を示している。
【図１８】
使用時の平均値の等高線を示している。
【図１９】
表面非点収差の等高線を示している。
【図２０】
発明のメガネレンズに関する平均表面パワーの等高線を示している。